(57)【要約】【課題】住宅や建築物は敷地に一度建築するとその建てた土地で使うことが一般常識です。一度建てた建築物をそのまま移動することができないためである。【解決手段】建築物の下に建物を載せて運ぶことのできるベースプレートを使いその上に建築することで吊上げても建物が壊れない。又ポールや三角フレームを使い建物を移設した後の機能をアップさせることができる。【選択図】図１７
2015140652.tif 000002
【特許請求の範囲】
【請求項１】
住宅などの建物を乗せて建築するベースプレートと建物の周囲を囲むようにベースプレートに取付ける柱、それを繋ぐ梁と桁その上に組まれる三角フレームの要素で構成され外部からの作業で容易に建物を基礎に取り付ける又基礎と建物を容易に切り離すことを可能とする。切り離した建物を壊すことなくそれ自体をクレーンで吊上げて車両に積み運搬することを可能とする。運んだ建物を再度吊上げ、あらかじめ作られた基礎に取付けることができる。この建物移動装置のフレームは多くの付加機能を持ち多目的用途に展開及び利用が可能となる建物移動装置と移動可能建物。
【発明の詳細な説明】
【技術分野】
【００１】本発明は建物が壊れないように吊上げ、運搬、耐震などの多機能を兼ねたベースプレート、サイドポール、それを繋ぐ梁、桁、三角フレームを備えた建物を移動するための装置と移動可能なハウス、建築物に関するものである。
【背景技術】
【０００２】従来の建築は一度敷地に建てるとその場所で使い、不要になると再利用せずに解体して捨てる。費用を掛けて処分することが一般的である。
【先行技術文献】
従来の建築物や住宅は基礎に固定され建物を壊さずに基礎から取り外すこと、又建物を壊さずにクレーンなどで吊上げること、建物の外部から基礎に固定することが出来ないこれらの作業で壊れてしまう構造である。
【特許文献】
【発明の概要】
【発明が解決しようとする課題】
【０００３】従来型建物（家屋）を移動しようと基礎から切り離すと壊れてしまう。【０００４】従来型建物（家屋）を持ち上げようすると壊れてしまう。【０００５】従来型建物（家屋）は他の土地に壊さずに移動できない。【０００６】従来型建物（家屋）を何度も建てると多額の資金を必要とする。【０００７】従来型建物（家屋）は災害時に緊急の対応が難しい。【０００８】耐震性を兼用できない。【０００９】ハウスは移動して再利用、転売できない。【００１０】従来型建物（家屋）の屋根を造作して利用すると雨漏りの原因になる。【００１１】介護でベット等はリースできるが、部屋はリースや持ち運びできない。【００１２】日本国内では公道を走行する車幅約３ｍを越えるような車両としてのトレーラーハウスを作ることが難しい
【課題を解決するための手段】
【００１３】建物移動システムとモバイルハウスのベースプレートにより、建築物を壊さずに基礎と建物を切り離すことを可能にする。【００１４】建物移動システムとモバイルハウスのベースプレートにより、建築物をクレーンで吊上げ搬送する事を可能にする。【００１５】建物移動システムとモバイルハウスのベースプレートやサイドポールなどで建物ごと建物ごと車両に積載し、次の目的地に運搬、及び設置を可能とし、何度もの資金をかけずに済む。【００１６】建物移動システムとモバイルハウスは完成後、ハウスを解体する必要なく、移動、及び設置を可能とする。【０１７】建物移動システムとモバイルハウスは製造条件の良い工場で製造して、車両に積み被災地等に運搬して容易に設置できる為、迅速に多くの仮設でない品質の良い建物を供給できる利点があり、被災地が復旧後、そこにモバイルハウスを移設して利用することが可能。【０１８】余分な費用を掛けず建物移動システムとモバイルハウスのフレームが耐震性を増してくれます。【０１９】建物移動システムとモバイルハウスは欲しい方の欲しい場所に運べる為、壊さずに転売をすることが可能です。【０２０】建物（家屋）の屋根にソーラーシステムのパネルなどを取付けようとすると屋根に造作を加える為雨漏りの原因になりますが、建物移動システムとモバイルハウスの三角フレームなどの利用で解決。【０２１】高齢化時代に入り施設不足に対応する介護設備の整った部屋を必要な期間だけ貸し出し、不要になったら返却できるモバイル介護ハウスを使うと自宅介護も可能になる。【０２２】本発明の建物移動システムとモバイルハウスは正規に公道を走行できるトレーラー車両の取り付けることで公道を移動して目的地で使用することができる。
【発明の効果】
【０２３】      上述したように本発明は一度建築して使用した住宅や店舗などの建物を時間、労力と費用を掛けて壊し、処分することなく必要な場所に運んで有効に再利用することが出来るもので資源を大切にして環境にも貢献する建物移動装置と移動ハウスである。当初の建築地で使用し、次の場所へ移動又は工場で建築し、使用目的地へ移動することが出来る。このように建築方法を用途により選ぶことが出来る。モバイルハウスの建築時の費用を下げる為ベースプレートのみ使用した基本設置で完成させることが出来る。
【図面の簡単な説明】
【０２４】
【図１】本考案の建物移動システムとモバイルハウスの平面である。
【０２５】
【図２】本考案の建物移動システムとモバイルハウスの正面である。
【０２６】
【図３】本考案の建物移動システムとモバイルハウスの左側面である。
【０２７】
【図４】本考案の建物移動システムとモバイルハウスの右側面である。
【０２８】
【図５】本考案の建物移動システムとモバイルハウスの断面Ａである。
【０２９】
【図６】本考案の建物移動システムとモバイルハウスの断面Ｂである。
【０３０】
【図７】本考案の建物移動システムとモバイルハウスの断面Ｃである。
【０３１】
【図８】本考案の建物移動システムとモバイルハウスの鳥瞰である。
【０３２】
【図９】本考案の建物移動システムとモバイルハウスで請求するベースプレート（材料は木材集成材）である。
【０３３】
【図１０】本考案の建物移動システムとモバイルハウスで請求するベースプレート（材料は木材集成材）基礎への取り付け説明である。
【０３４】
【図１１】本考案の建物移動システムとモバイルハウスで請求するベースプレート（材料はＨ鋼材）である。
【０３５】
【図１２】本考案の建物移動システムとモバイルハウスで請求するベースプレート（材料はＨ鋼材）基礎への取り付け説明である。
【０３６】
【図１３】本考案の建物移動システムとモバイルハウスで請求するベースプレート（材料は木材又は鋼材などを使用）である。
【０３７】
【図１４】本考案の建物移動システムとモバイルハウスで請求するベースプレート（材料が木トラス構造材）基礎への取り付け説明である。
【０３８】
【図１５】本考案の建物移動システムとモバイルハウスの基本設置である。
【０３９】
【図１６】本考案の建物移動システムとモバイルハウスの移設準備である。
【０４０】
【図１７】本考案の建物移動システムとモバイルハウスの移設手順（一点吊り上げ）である。
【０４１】
【図１８】本考案の建物移動システムとモバイルハウスの移設手順（二点吊り上げ）である。
【０４２】
【図１９】本考案の建物移動システムとモバイルハウスの移設手順（一点吊り上げ補強の概略）である。
【０４３】
【図２０】本考案の建物移動システムとモバイルハウスの移設手順（二点吊り上げ補強の概略）である。
【０４４】
【図２１】本考案の建物移動システムとモバイルハウスの移設手順（吊り上げ側面の概略）である。
【０４５】
【図２２】本考案の建物移動システムとモバイルハウスの移設手順（吊り上げ側面の概略補足）である。
【０４６】
【図２３】本考案の建物移動システムとモバイルハウスの移設手順（輸送、移動方法）である。
【０４７】
【図２４】本考案の建物移動システムとモバイルハウスの応用利用及び付加機能説明である。
【０４８】
【図２５】本考案の建物移動システムとモバイルハウスの応用利用及び付加機能説明である。
【図１】
2015140652.tif 000003
【図２】
2015140652.tif 000004
【図３】
2015140652.tif 000005
【図４】
2015140652.tif 000006
【図５】
2015140652.tif 000007
2015140652.tif 000008
【図７】
2015140652.tif 000009
【図９】
2015140652.tif 000010
【図１０】
2015140652.tif 000011
【図１１】
2015140652.tif 000012
【図１２】
2015140652.tif 000013
【図１３】
2015140652.tif 000014
【図１４】
2015140652.tif 000015
【図１５】
2015140652.tif 000016
【図１６】
2015140652.tif 000017
【図１７】
2015140652.tif 000018
【図１８】
2015140652.tif 000019
【図１９】
2015140652.tif 000020
【図２０】
2015140652.tif 000021
【図２１】
2015140652.tif 000022
【図２２】
2015140652.tif 000023
【図２３】
2015140652.tif 000024
【図２４】
2015140652.tif 000025
【図２５】
2015140652.tif 000026
【手続補正書】
【提出日】平成26年2月3日(2014.2.3)
【手続補正１】
【補正対象書類名】明細書
【補正対象項目名】全文
【補正方法】変更
【補正の内容】
【発明の詳細な説明】
【技術分野】
【０００１】本発明は建物が壊れないように吊上げ、運搬、耐震などの多機能を兼ねたベースプレート、サイドポール、それを繋ぐ梁、桁、三角フレームを備えた建物を移動するための装置と移動可能なハウス、建築物に関するものである。
【背景技術】
【０００２】従来の建築は一度敷地に建てるとその場所で使い、不要になると再利用せずに解体して捨てる。費用を掛けて処分することが一般的である。
【先行技術文献】
従来の建築物や住宅は基礎に固定され建物を壊さずに基礎から取り外すこと、又建物を壊さずにクレーンなどで吊上げること、建物の外部から基礎に固定することが出来ないこれらの作業で壊れてしまう構造である。
【特許文献】
【発明の概要】
【発明が解決しようとする課題】
【０００３】従来型建物（家屋）を移動しようと基礎から切り離すと壊れてしまう。【０００４】従来型建物（家屋）を持ち上げようすると壊れてしまう。【０００５】従来型建物（家屋）は他の土地に壊さずに移動できない。【０００６】従来型建物（家屋）を何度も建てると多額の資金を必要とする。【０００７】従来型建物（家屋）は災害時に緊急の対応が難しい。【０００８】耐震性を兼用できない。【０００９】ハウスは移動して再利用、転売できない。【００１０】従来型建物（家屋）の屋根を造作して利用すると雨漏りの原因になる。【００１１】介護でベット等はリースできるが、部屋はリースや持ち運びできない。【００１２】日本国内では公道を走行する車幅約３ｍを越えるような車両としてのトレーラーハウスを作ることが難しい【００１３】一般の建物は土地の液状化や地盤沈下による影響で傾いた建物を正常な位置に戻すことが難しい、またこの影響による建物の倒壊を防ぐことが難しく建築の方法にも課題がある。
【課題を解決するための手段】
【００１４】建物移動システムとモバイルハウスのベースプレートにより、建築物を壊さずに基礎と建物を切り離すことを可能にする。【００１５】建物移動システムとモバイルハウスのベースプレートにより、建築物をクレーンで吊上げ搬送する事を可能にする。【００１６】建物移動システムとモバイルハウスのベースプレートやサイドポールなどで建物ごと建物ごと車両に積載し、次の目的地に運搬、及び設置を可能とし、何度もの資金をかけずに済む。【００１７】建物移動システムとモバイルハウスは完成後、ハウスを解体する必要なく、移動、及び設置を可能とする。【００１８】建物移動システムとモバイルハウスは製造条件の良い工場で製造して、車両に積み被災地等に運搬して容易に設置できる為、迅速に多くの仮設でない品質の良い建物を供給できる利点があり、被災地が復旧後、そこにモバイルハウスを移設して利用することが可能。【００１９】余分な費用を掛けず建物移動システムとモバイルハウスのフレームが耐震性を増してくれます。【００２０】建物移動システムとモバイルハウスは欲しい方の欲しい場所に運べる為、壊さずに転売をすることが可能です。【００２１】建物（家屋）の屋根にソーラーシステムのパネルなどを取付けようとすると屋根に造作を加える為雨漏りの原因になりますが、建物移動システムとモバイルハウスの三角フレームなどの利用で解決。【００２２】高齢化時代に入り施設不足に対応する介護設備の整った部屋を必要な期間だけ貸し出し、不要になったら返却できるモバイル介護ハウスを使うと自宅介護も可能になる。【００２３】本発明の建物移動システムとモバイルハウスは正規に公道を走行できるトレーラー車両の取り付けることで公道を移動して目的地で使用することができる。【００２４】本発明のベースプレートや建物を吊上げるシステムを採用することによって土地の液状化や地盤沈下で傾いた建物を正常位置に戻すことが容易にできる。またベースプレートが建物倒壊の可能性を少なくできるなどこの採用で建築工法が新たな改良になる。従って本発明のベースプレートなどを使った建築工法は建物の移動目的だけでなく多く建築に採用すると効果がある。
【発明の効果】
【００２５】      上述したように本発明は一度建築して使用した住宅や店舗などの建物を時間、労力と費用を掛けて壊し、処分することなく必要な場所に運んで有効に再利用することが出来るもので資源を大切にして環境にも貢献する建物移動装置と移動ハウスである。当初の建築地で使用し、次の場所へ移動又は工場で建築し、使用目的地へ移動することが出来る。このように建築方法を用途により選ぶことが出来る。モバイルハウスの建築時の費用を下げる為ベースプレートのみ使用した基本設置で完成させることが出来る。
【図面の簡単な説明】
【００２６】
【図１】本考案の建物移動システムとモバイルハウスの平面である。
【００２７】
【図２】本考案の建物移動システムとモバイルハウスの正面である。
【００２８】
【図３】本考案の建物移動システムとモバイルハウスの左側面である。
【００２９】
【図４】本考案の建物移動システムとモバイルハウスの右側面である。
【００３０】
【図５】本考案の建物移動システムとモバイルハウスの断面Ａである。
【００３１】
【図６】本考案の建物移動システムとモバイルハウスの断面Ｂである。
【００３２】
【図７】本考案の建物移動システムとモバイルハウスの断面Ｃである。
【００３３】
【図８】本考案の建物移動システムとモバイルハウスの鳥瞰である。
【００３４】
【図９】本考案の建物移動システムとモバイルハウスで請求するベースプレート（材料は木材集成材）である。
【００３５】
【図１０】本考案の建物移動システムとモバイルハウスで請求するベースプレート（材料は木材集成材）基礎への取り付け説明である。
【００３６】
【図１１】本考案の建物移動システムとモバイルハウスで請求するベースプレート（材料はＨ鋼材）である。
【００３７】
【図１２】本考案の建物移動システムとモバイルハウスで請求するベースプレート（材料はＨ鋼材）基礎への取り付け説明である。
【００３８】
【図１３】本考案の建物移動システムとモバイルハウスで請求するベースプレート（材料は木材又は鋼材などを使用）である。
【００３９】
【図１４】本考案の建物移動システムとモバイルハウスで請求するベースプレート（材料が木トラス構造材）基礎への取り付け説明である。
【００４０】
【図１５】本考案の建物移動システムとモバイルハウスの基本設置である。
【００４１】
【図１６】本考案の建物移動システムとモバイルハウスの移設準備である。
【００４２】
【図１７】本考案の建物移動システムとモバイルハウスの移設手順（一点吊り上げ）である。
【００４３】
【図１８】本考案の建物移動システムとモバイルハウスの移設手順（二点吊り上げ）である。
【００４４】
【図１９】本考案の建物移動システムとモバイルハウスの移設手順（一点吊り上げ補強の概略）である。
【００４５】
【図２０】本考案の建物移動システムとモバイルハウスの移設手順（二点吊り上げ補強の概略）である。
【００４６】
【図２１】本考案の建物移動システムとモバイルハウスの移設手順（吊り上げ側面の概略）である。
【００４７】
【図２２】本考案の建物移動システムとモバイルハウスの移設手順（吊り上げ側面の概略補足）である。
【００４８】
【図２３】本考案の建物移動システムとモバイルハウスの移設手順（輸送、移動方法）である。
【００４９】
【図２４】本考案の建物移動システムとモバイルハウスの応用利用及び付加機能説明である。
【００５０】
【図２５】本考案の建物移動システムとモバイルハウスの応用利用及び付加機能説明である。
【符号の説明】０１  モバイルハウス
０２  ベースプレート（モバイルハウスのサイズに対応設置状況や予算に応じてタイプを      選定し適合させる。）
０３  三角フレーム（モバイルハウスのサイズに対応。※運搬走行時の高さ制限をクリア      するためトレーラーに固定後、三角フレームは取り外す。）
０４  サイドポール（モバイルハウスのサイズに対応耐震、設置状況や予算に応じてタイ      プを選定し適合させる。）
０５  梁（モバイルハウスのサイズに対応耐震、設置状況や予算に応じてタイプを選定し      適合させる。）
０６  配管用穴（給水、給湯、ガス、電気等の配管穴）
０７  補強構造材（モバイルハウスのサイズや重量によりそれに見合う数やサイズに変え      る。）
０８  長尺土台（吊り上げ時の変形を防ぐ）
０９  モバイルプレート（木集成材）：ベースプレート兼土台
１０  ナットカバー（基礎に取り付け後、腐食しない様にフタをする。）
１１  ナット取り付け用窓（外部からナットの取付け、取り外しが可能）
１２  締結金物
１３  モバイルプレート（鉄鋼材）：ベースプレート兼土台
１４  木材土台（木造モバイルハウスの場合は木材土台を取り付け）
１５  化粧カバー
１６  化粧カバー取り付け金物
１７  モバイルプレート（木材）：ベースプレート兼土台
１８  吊り支点（クレーン等）
１９  ワイヤー
２０  たわみ防止ワイヤー
２１  搬送車両
２２  ソーラーパネル（ユニット）
２３  グリーンテラス（ユニット）
２４  階段その他（ユニット）
２５  基礎
【手続補正２】
【補正対象書類名】図面
【補正対象項目名】全図
【補正方法】変更
【補正の内容】
【図１】
2015140652.tif 000027
【図２】
2015140652.tif 000028
【図３】
2015140652.tif 000029
【図４】
2015140652.tif 000030
【図５】
2015140652.tif 000031
2015140652.tif 000032
【図７】
2015140652.tif 000033
【図９】
2015140652.tif 000034
【図１０】
2015140652.tif 000035
【図１１】
2015140652.tif 000036
【図１２】
2015140652.tif 000037
【図１３】
2015140652.tif 000038
【図１４】
2015140652.tif 000039
【図１５】
2015140652.tif 000040
【図１６】
2015140652.tif 000041
【図１７】
2015140652.tif 000042
【図１８】
2015140652.tif 000043
【図１９】
2015140652.tif 000044
【図２０】
2015140652.tif 000045
【図２１】
2015140652.tif 000046
【図２２】
2015140652.tif 000047
【図２３】
2015140652.tif 000048
【図２４】
2015140652.tif 000049
【図２５】
2015140652.tif 000050
【手続補正書】
【提出日】平成26年4月21日(2014.4.21)
【手続補正１】
【補正対象書類名】手続補正書
【補正対象項目名】手続補正２
【補正方法】変更
【補正の内容】
【手続補正２】
【補正対象書類名】図面
【補正対象項目名】全図
【補正方法】変更
【補正の内容】
【図１】
2015140652.tif 000051
【図２】
2015140652.tif 000052
【図３】
2015140652.tif 000053
【図４】
2015140652.tif 000054
【図５】
2015140652.tif 000055
【図６】
2015140652.tif 000056
【図７】
2015140652.tif 000057
【図８】
2015140652.tif 000058
【図９】
2015140652.tif 000059
【図１０】
2015140652.tif 000060
【図１１】
2015140652.tif 000061
【図１２】
2015140652.tif 000062
【図１３】
2015140652.tif 000063
【図１４】
2015140652.tif 000064
【図１５】
2015140652.tif 000065
【図１６】
2015140652.tif 000066
【図１７】
2015140652.tif 000067
【図１８】
2015140652.tif 000068
【図１９】
2015140652.tif 000069
【図２０】
2015140652.tif 000070
【図２１】
2015140652.tif 000071
【図２２】
2015140652.tif 000072
【図２３】
2015140652.tif 000073
【図２４】
2015140652.tif 000074
【図２５】
2015140652.tif 000075
【手続補正書】
【提出日】平成27年2月4日(2015.2.4)
【手続補正１】
【補正対象書類名】特許請求の範囲
【補正対象項目名】請求項１
【補正方法】変更
【補正の内容】
【請求項１】
住宅などの建物を乗せて建築するベースプレートと建物の周囲を囲むようにベースプレートに取り付ける柱，それを繋ぐ梁と桁，その上に組まれる三角フレームの要素で構成され，外部からの作業で容易に建物を乗せたベースプレートを基礎に取り付けること，及び基礎から切り離すことを可能とし，建物を壊すことなく柱梁の架構をクレーンで吊上げて車両に積み運搬することを可能とし，運んだ後，再度吊上げ，あらかじめ作られた基礎に取り付けることができ，三角フレームは多くの付加機能を持ち多目的用途に展開及び利用が可能となることを特徴とする建物移動装置と稼動可能建物から構成されるシステム。
【手続補正２】
【補正対象書類名】明細書
【補正対象項目名】００１３
【補正方法】削除
【補正の内容】
【手続補正３】
【補正対象書類名】明細書
【補正対象項目名】００２４
【補正方法】変更
【補正の内容】
【００２４】ベースプレートが建物倒壊の可能性を少なくできるなどこの採用で建築方法が新たな改良になる。
【手続補正４】
【補正対象書類名】明細書
【補正対象項目名】符号の説明
【補正方法】変更
【補正の内容】
【符号の説明】
０１  モバイルハウス
０２  ベースプレート
０３  三角フレーム
０４  サイドポール
０５  梁
０６  穴
０７  補強構造材
０８  長尺土台
０９  プレート（集成木材）：ベースプレート兼土台
１０  カバー
１１  取り付穴（締結金物）
１２  締結金物
１３  プレート（鉄鋼材）：ベースプレート兼土台
１４  土台
１５  化粧カバー
１６  化粧カバー取り付け金物
１７  プレート（木材）：ベースプレート兼土台
１８  吊り支点（クレーン等）
１９  ワイヤー
２０  支線
２１  搬送車両
２２  ソーラーパネル（ユニット）
２３  テラス（ユニット）
２４  階段その他（ユニット）
２５  基礎
【手続補正書】
【提出日】平成27年4月7日(2015.4.7)
【手続補正１】
【補正対象書類名】手続補正書
【補正対象項目名】手続補正２
【補正方法】変更
【補正の内容】
【手続補正２】
【補正対象書類名】明細書
【補正対象項目名】全文
【補正方法】変更
【補正の内容】
【発明の詳細な説明】
【技術分野】
【０００１】本発明は建物が壊れないように吊上げ、運搬、耐震などの多機能を兼ねたベースプレート、サイドポール，それを繋ぐ梁，桁，三角フレームを備えた建物を移動するための装置と移動可能なハウス，建築物に関するものである。
【背景技術】
【０００２】従来の建築は一度敷地に建てるとその場所で使い，不要になると再利用せずに解体して捨てる，費用を掛けて処分することが一般的である。
【先行技術文献】
従来の建築物や住宅は基礎に固定され建物を壊さずに基礎から取り外すこと，又建物を壊さずにクレーンなどで吊上げること，建物の外部から基礎に固定することが出来ない，これらの作業で壊れてしまう構造である。
【特許文献】
【発明の概要】
【発明が解決しようとする課題】
【０００３】従来型建物（家屋）を移動しようと基礎から切り離すと壊れてしまう。【０００４】従来型建物（家屋）を持ち上げようすると壊れてしまう。【０００５】従来型建物（家屋）は他の土地に壊さずに移動できない。【０００６】従来型建物（家屋）を何度も建てると多額の資金を必要とする。【０００７】従来型建物（家屋）は災害時に緊急の対応が難しい。【０００８】耐震性を兼用できない。【０００９】ハウスは移動して再利用、転売できない。【００１０】従来型建物（家屋）の屋根を造作して利用すると雨漏りの原因になる。【００１１】介護でベッド等はリースできるが，部屋はリースや持ち運びできない。【００１２】日本国内では公道を走行する車幅約３ｍを越えるような車両としてのトレーラーハウスを作ることが難しい。
【課題を解決するための手段】
【００１３】
【００１４】建物移動システムとモバイルハウスのベースプレートにより、建築物を壊さずに基礎と建物を切り離すことを可能にする。【００１５】建物移動システムとモバイルハウスのベースプレートにより，建築物をクレーンで吊上げ搬送することを可能にする。【００１６】建物移動システムとモバイルハウスのベースプレートやサイドポールなどで建物ごと車両に積載し，次の目的地に運搬及び設置を可能とし，何度も資金をかけずに済む。【００１７】建物移動システムとモバイルハウスは完成後，ハウスを解体する必要なく，移動及び設置を可能とする。【００１８】建物移動システムとモバイルハウスは製造条件の良い工場で製造して，車両に積み被災地等に運搬して容易に設置できる為，迅速に多くの仮設でない品質の良い建物を供給できる利点があり，被災地が復旧後，そこにモバイルハウスを移設して利用することが可能。【００１９】余分な費用を掛けず建物移動システムとモバイルハウスのフレームが耐震性を増してくれます。【００２０】建物移動システムとモバイルハウスは欲しい方の欲しい場所に運べる為，壊さずに転売をすることが可能です。【００２１】建物（家屋）の屋根にソーラーシステムのパネルなどを取付けようとすると屋根に造作を加える為雨漏りの原因となりますが，建物移動システムとモバイルハウスの三角フレームなどを利用で解決。【００２２】高齢化時代に入り施設不足に対応する介護設備の整った部屋を必要な期間だけ貸し出し、不要になったら返却できるモバイル介護ハウスを使うと自宅介護も可能になる。【００２３】本発明の建物移動システムとモバイルハウスは正規に公道を走行できるトレーラー車両の取り付けることで公道を移動して目的地で使用することができる。【００２４】ベースプレートが建物倒壊の可能性を少なくできるなど，この採用で建築方法が新たな改良になる。
【発明の効果】
【００２５】上述したように本発明は一度建築して使用した住宅や店舗などの建物を時間，労力と費用を掛けて壊し，処分することなく必要な場所に運んで有効に再利用することが出来るもので資源を大切にして環境にも貢献する建物移動装置と移動ハウスである，当初の建築地で使用し，次の場所へ移動又は工場で建築し，使用目的地へ移動することが出来る，このように建築方法を用途により選ぶことが出来る，モバイルハウスの建築時の費用を下げる為ベースプレートのみ使用した基本設置で完成させることが出来る。
【図面の簡単な説明】
【００２６】
【図１】本発明の建物移動システムとモバイルハウスの平面である。
【図２】本発明の建物移動システムとモバイルハウスの正面である。
【図３】本発明の建物移動システムとモバイルハウスの左側面である。
【図４】本発明の建物移動システムとモバイルハウスの右側面である。
【図５】本発明の建物移動システムとモバイルハウスの断面Ａである。
【図６】本発明の建物移動システムとモバイルハウスの断面Ｂである。
【図７】本発明の建物移動システムとモバイルハウスの断面Ｃである。
【図８】本発明の建物移動システムとモバイルハウスの鳥瞰である。
【図９】本発明の建物移動システムとモバイルハウスで請求するベースプレート（材料は木材集成材）である。
【図１０】本発明の建物移動システムとモバイルハウスで請求するベースプレート（材料は木材集成材）基礎への取り付け説明である。
【図１１】本発明の建物移動システムとモバイルハウスで請求するベースプレート（材料はＨ鋼材）である。
【図１２】本発明の建物移動システムとモバイルハウスで請求するベースプレート（材料はＨ鋼材）基礎への取り付け説明である。
【図１３】本発明の建物移動システムとモバイルハウスで請求するベースプレート（材料は木材又は鋼材などを使用）である。
【図１４】本発明の建物移動システムとモバイルハウスで請求するベースプレート（材料が木トラス構造材）基礎への取り付け説明である。
【図１５】本発明の建物移動システムとモバイルハウスの基本設置である。
【図１６】本発明の建物移動システムとモバイルハウスの移設準備である。
【図１７】本発明の建物移動システムとモバイルハウスの移設手順（一点吊り上げ）である。
【図１８】本発明の建物移動システムとモバイルハウスの移設手順（二点吊り上げ）である。
【図１９】本発明の建物移動システムとモバイルハウスの移設手順（一点吊り上げ補強の概略）である。
【図２０】本発明の建物移動システムとモバイルハウスの移設手順（二点吊り上げ補強の概略）である。
【図２１】本発明の建物移動システムとモバイルハウスの移設手順（吊り上げ側面の概略）である。
【図２２】本発明の建物移動システムとモバイルハウスの移設手順（吊り上げ側面の概略補足）である。
【図２３】本発明の建物移動システムとモバイルハウスの移設手順（輸送、移動方法）である。
【図２４】本発明の建物移動システムとモバイルハウスの応用利用及び付加機能説明である。
【図２５】本発明の建物移動システムとモバイルハウスの応用利用及び付加機能説明である。
【符号の説明】
【００２７】０１  モバイルハウス
０２  ベースプレート
０３  三角フレーム
０４  サイドポール
０５  梁
０６  穴
０７  補強構造材
０８  長尺土台
０９  プレート（集成木材）：ベースプレート兼土台
１０  カバー
１１  取り付穴（締結金物）
１２  締結金物
１３  プレート（鉄鋼材）：ベースプレート兼土台
１４  土台
１５  化粧カバー
１６  化粧カバー取り付け金物
１７  プレート（木材）：ベースプレート兼土台
１８  吊り支点（クレーン等）
１９  ワイヤー
２０  支線
２１  搬送車両
２２  ソーラーパネル（ユニット）
２３  テラス（ユニット）
２４  階段その他（ユニット）
２５  基礎
【手続補正２】
【補正対象書類名】手続補正書
【補正対象項目名】手続補正３
【補正方法】削除
【補正の内容】
【手続補正３】
【補正対象書類名】手続補正書
【補正対象項目名】手続補正４
【補正方法】削除
【補正の内容】